(57)【特許請求の範囲】
【請求項１】
プレート状の多層体内に固定された固定部材を備えた装置において、多層体（２４，２６）の外側の層（２４）は穿孔（３０）が貫通しており、この穿孔（３０）は多層体（２４，２６）の他の層（２６）内のアンダーカット部（２８）を有する穿孔（３２）内に開口しており、固定部材（１０）は拡開円錐部（１４）を備えたねじ山付き軸部（１２）を有し、拡開円錐部（１４）は多層体（２４，２６）の他の層（２６）のアンダーカット部（２８）内に存在し、この拡開円錐部（１４）へ拡開部材（１６）が被せ嵌められており、それによりこの拡開部材（１６）は拡開されているため、拡開部材（１６）はアンダーカット部（２８）と形状結合により背後から係合しており、かつ前記ねじ山付き軸部（１２）上にワッシャ（１８）が装着されており、このワッシャ（１８）は多層体（２４，２６）の外側の層（２４）内の穿孔（３０）を覆っており、多層体（２４，２６）の外側の層（２４）内の穿孔（３０）は固定部材（１０）のねじ山付き軸部よりも、並びに他の層（２６）内の穿孔（３２）よりも大きい直径を有し、ワッシャ（１８）は注入開口部（２２）を有し、この注入開口部（２２）はワッシャ（１８）の外側に通じており、かつ固定部材（１０）のねじ山付き軸部（１２）と外側の層（２４）内の穿孔（３０）の壁部との間の空隙内へ開口しており、この注入開口部（２２）を通して充填材料（２６）が前記の空隙内へ導入されていることを特徴とする、固定部材を備えた装置。
【請求項２】
充填材料（３６）が封止材料である、請求項１記載の装置。
【請求項３】
多層体（２４，２６）が合わせガラス（２４，２６）である、請求項１記載の装置。
【請求項４】
多層体（２４，２６）がソーラーパネルである、請求項１記載の装置。
【発明の詳細な説明】
【０００１】
本発明は、プレート状の多層体内に固定された固定部材を備えた装置に関する。
【０００２】
わずかな穿孔深さだけしか許されないファッサードプレートを固定するためのこの種の固定部材は、ヨーロッパ特許第０４４０８９６号明細書から公知である。この公知の固定部材は、拡開円錐部を備えたねじ山付き軸部を有する。このねじ山付き軸部上に拡開部材が装着され、この拡開部材は拡開円錐部へ被せ嵌められることによって拡開され、それによりこの拡開部材は穿孔のアンダーカット部と形状結合（形状による束縛）により背後から係合する。この公知の固定部材の拡開部材は拡開リングとして構成されており、この拡開リングはたとえば上から見て楕円形でありかつ／又は横から見て波打っており、それにより拡開円錐部へ被せ嵌められることによって拡開する。この拡開部材が拡開することにより固定部材は穿孔のアンダーカット部内で固定される。
【０００３】
固定部材を固定した後に、ねじ山付き軸部に穿孔を覆うワッシャを装着し、かつねじ山付き軸部にナットを螺合する。
【０００４】
公知の固定部材を合わせガラス内に固定する場合に、次の問題が生じる：合わせガラス（安全ガラス）は相互に接着されたガラス板から構成されている。一般に、この合わせガラスは、複数の構成された多層体と解釈される。このような多層体は、たとえばソーラーパネルであってもよく、本発明は合わせガラスに対してと同様にこのようなソーラパネルに対しても使用可能である。多層体内の穿孔は、個々の層を貼り合わせて多層体にする前に開けられる。層を組み立てて多層体にした後に層が相互にずれることにより、個々の層内の穿孔がずれてしまうという問題が生じる。
【０００５】
本発明の根底をなす課題は、多層体、たとえば合わせガラス又はソーラーパネル内でアンダーカット部を有する穿孔内に固定するために適した、冒頭に述べた種類の固定部材を提案することであった。
【０００６】
前記課題は、本発明により請求項１記載の特徴により解決される。本発明による請求項１記載の特徴を有する固定部材において、ねじ山付き軸部に装着されたワッシャは注入開口部を有する。この注入開口部はワッシャの外側に通じており、かつワッシャの、拡開円錐部に向かう側でねじ山付き軸部の周面領域に開口している。注入開口部が通じている外側はワッシャの端面である必要はなく、その周面であってもよい。この注入開口部を通じて充填材料を固定部材のねじ山付き軸部と穿孔壁部との間の空隙内へ導入する。このことによって、多層体の外側の層内の穿孔を、固定部材のねじ山付き軸部よりも、並びに多層体の他の層内の穿孔よりも大きな直径で開けることが可能となる。それにより、多層体の層がずれた場合であっても外側の層内の穿孔は他の層内の穿孔内へ開口し、かつ外側の層及び他の層内の穿孔の重なり部分は、拡開円錐部を備えた固定部材が穿孔のアンダーカット内に組み込み可能である程度に大きい。本発明による固定部材を固定した後に、固定部材のねじ山付き軸部と多層体の外側の層内の、直径がより大きい穿孔の壁部との間の空隙に、注入開口部を通じて充填材料を充填する。この充填材料は、特に封止材料、たとえばシリコーンであり、この材料は穿孔内の穿孔シャフトを密封する。外側の層内の穿孔内のねじ山付き軸部を横方向に支持する他の充填材料、たとえばプラスチックを充填することも可能である。
【０００７】
本発明の有利な態様において、たとえばねじ山付き軸部にナットを螺合する際に多層体が損傷することから保護するためにワッシャはプラスチックからなる。
【０００８】
本発明による固定部材の拡開部材は、特に拡開可能な拡開リングとして構成されている。
【０００９】
さらに、本発明は、請求項４記載の特徴を有する、プレート状の多層体内に固定された本発明による固定部材を備えた装置に関する。この多層体はたとえば合わせガラス（安全ガラス）又はソーラーパネルである。
【００１０】
本発明を次に図面で示した実施例を用いて詳細に説明する。
【００１１】
図１は、本発明による固定部材の展開図を示す。
【００１２】
図２は、図１からの固定部材を使用した本発明による装置を示す。
【００１３】
図面で示した本発明による固定部材１０は、拡開円錐部１４を備えたねじ山付き軸部１２を有し、この拡開円錐部１４はその端部にねじ山付き軸部１２と一体で配置されている。ねじ山付き軸部１２には拡開部材として拡開リング１６が装着されている。この拡開リング１６は横から見て波打った形状であり、それにより拡開円錐部１４へ被せ嵌められることによって拡開される。拡開円錐部１４及び拡開リング１６を有するねじ山付き軸部１２は鋼からなる。
【００１４】
さらに、この固定部材１０はプラスチックからなる、中心穴２０を備えたワッシャ１８を有する。このワッシャ１８はこのワッシャ１８と一体の管状のカラー１９を有し、このカラーはワッシャの正しい取付位置で拡開円錐部１４に向いている。このカラー１９は中心穴２０が貫通している。このワッシャ１８は斜めに延びる通路２２を有し、この通路は、ワッシャ１８の拡開円錐部１４に向かう側から外側へワッシャ１８の拡開円錐部１４とは反対に向かう側まで内部へ斜めに延びている。拡開円錐部１４に向かう側で通路２２はカラー１９の外周部に開口している。
【００１５】
固定部材１０は、図２に示すように、外側の層２４及び少なくとも他の層２６を有する多層体２４，２６内で固定するようになっている。この多層体２４，２６は、図２に示すように、たとえば合わせガラス（安全ガラス）２４，２６であるか又はたとえば図示されていないソーラパネルであることができ、このパネルは通常多層に構成されている。合わせガラス２４，２６は２つ又はそれ以上のガラスプレート２４，２６を有し、これらは接着により結合して合わせガラスになっている。この合わせガラス２４，２６はその厚さによってその中に設けられた穿孔の深さが限定される。
【００１６】
固定部材１０の固定のために、アンダーカット部２８を有する穿孔３０，３２が合わせガラス２４，２６内に設ける。この穿孔３０，３２は２枚のガラスプレート２４，２６の接着の前に、それぞれのガラス板２４，２６内へ別個に設けられ、この場合に、アンダーカット部２８は図示した実施例において完全に及び専ら他のガラスプレート２６内に製造されている。ガラスプレート２４，２６内に穿孔３０，３２を製造した後に、ガラスプレート２４，２６を相互に接着して合わせガラス２４，２６にする。ガラスプレート２４，２６は接着時に相互にずれることがあるため、この穿孔３０，３２は外側のガラスプレート２４内では、他のガラスプレート２６内のよりもより大きな直径を有している。それにより、２枚のガラスプレート２４，２６を張り合わせた結果、外側のガラスプレート２４内の穿孔３０が他のガラスプレート２６内の穿孔に対してずれた場合であっても、外側のガラスプレート２４内の穿孔３０は他のガラスプレート２６内の穿孔３２内に開口することが保証される。さらに、外側のガラスプレート２４内の穿孔３０がより大きな直径を有することにより、外側のガラスプレート２４内の穿孔３０が他のガラスプレート２６内の穿孔３２に対してずれた場合であっても、拡開円錐部１４及び拡開リング１６を備えた固定部材１０を、外側のガラスプレート２４内の穿孔３０を通して他のガラスプレート２６内のアンダーカット部２８内へ組み込み可能である。
【００１７】
アンダーカット部２８内へ拡開円錐部１４を備えた固定部材１０を組み込んだ後にねじ山付き軸部１２に装着された拡開リング１６を図示されていない管状の取付工具を用いて拡開円錐部１４に被せ嵌める。この場合に、拡開リング１６は拡開し、かつアンダーカット２８と形状結合により背後から係合するため、固定部材１０は合わせガラス２４，２６内で固定される。この固定部材１０を固定した後で、図示されていない取付工具を引き抜き、カラー１９を備えたワッシャ１８を合わせガラス２４，２６から突き出ている固定部材１０のねじ山付き軸部１２に装着する。ワッシャ１８に続いて、ワッシャ１８に当接するまでナット３４を螺入する。注入開口部２２を形成するワッシャ１８内の通路を通して、ワッシャ１８のカラー１９と外側ガラスプレート２４中の穿孔３０の壁部との間の空隙に充填材料３６、たとえばシリコーンを充填する。この充填材料３６は穿孔３０内の固定部材１０を密封し、この充填材料は穿孔３０内での横方向の力に対しても固定部材１０を支持することができる。場合により、拡開リング１６はワッシャ１８のカラー１９によって、ねじ山付き軸部１２上のナット３４の螺入によって拡開円錐部１４に被せ嵌められ、それによりこの拡開リング１６は拡開することができる。この場合に、特別な工具は必要ない。
【図面の簡単な説明】
【図１】  本発明による固定部材の展開図
【図２】  図１の固定部材を使用した本発明による装置を表す図
【図１】
0004138316.tif 000002
【図２】
0004138316.tif 000003